【手続補正書】
【提出日】平成25年11月5日(2013.11.5)
【手続補正１】
【補正対象書類名】特許請求の範囲
【補正対象項目名】全文
【補正方法】変更
【補正の内容】
【特許請求の範囲】
【請求項１】
（ｉ）ポリオールと二無水物とのエステル化であって、該エステル化は、実質的に無水物開環のみを容易にする条件下で行われて、少なくとも２つのペンダントカルボン酸基および少なくとも２つのヒドロキシル基を含むポリエステルポリマーを形成する、エステル化；ならびに
（ｉｉ）該ポリエステルポリマーの少なくとも１つのペンダントカルボン酸基および少なくとも１つの末端ヒドロキシル基と、官能基を有するエポキシドとの反応であって、該エポキシドは、ＵＶ吸収部分を含む、反応、
を包含する反応スキームの生成物である、ＵＶ吸収複合ポリオールポリエステルポリマー。
【請求項２】
前記ポリオールがジオールであり、そして
前記二無水物がＵＶ吸収性であり、そしてベンゾフェノン部分を含み、
前記（ｉ）のエステル化工程が、式（ＩＸ）：
【化２７】
2013509491.tif 000001
によって表わされるような、ペンダントカルボン酸および末端ヒドロキシル基を含むポリエステルポリマーを与え、式（ＩＸ）において、Ｒ９は独立して、２個〜５４個の炭素原子および０個〜３０個のエーテル結合を有する炭化水素基から選択され、Ｒ１０は独立して、−Ｈまたは−ＯＨであり、そしてｎは、１〜１０００の整数である、請求項１に記載のＵＶ吸収複合ポリオールポリエステルポリマー。
【請求項３】
前記工程（ｉｉ）の反応が、前記エポキシドの前記官能基と、前記ポリエステルポリマーの前記ヒドロキシル基および／または前記カルボン酸基とのエーテル化反応を包含する、請求項２に記載のポリマー。
【請求項４】
前記ポリオールがジオールであり、そして
前記二無水物がＵＶ吸収性ではなく、
前記（ｉ）のエステル化工程が、式（Ｘ）：
【化２８】
2013509491.tif 000002
により表わされる、少なくとも２つのペンダントカルボン酸基および２つの末端ヒドロキシル基を含むポリエステルポリマーを与え、式（Ｘ）において、Ｒ９は独立して、２個〜５４個の炭素原子および０個〜３０個のエーテル結合を有する炭化水素基から選択され、そしてｎは、１〜１０００の整数である、請求項１に記載のポリマー。
【請求項５】
前記工程（ｉｉ）の反応が、前記エポキシドの前記官能基と、前記ポリエステルポリマーの前記ヒドロキシル基および／または前記カルボン酸基のうちの少なくとも１つとのエーテル化反応を包含する、請求項４に記載のポリマー。
【請求項６】
前記エポキシドがＵＶ吸収アルコールのエポキシ化から誘導される、請求項１に記載のポリマー。
【請求項７】
前記エポキシドがＵＶ吸収カルボン酸のエポキシ化から誘導される、請求項１に記載のポリマー。
【請求項８】
前記エポキシドが、反応スキーム８Ａ：
【化２９】
2013509491.tif 000003
により表わされる反応から誘導され、反応スキーム８Ａにおいて、Ｒ１３は、ＵＶ吸収部分を含み、そしてＲ１４は独立して、水素原子、ならびに１個〜５４個の炭素原子および０個〜３０個のエーテル結合を有する炭化水素基から選択され、そしてＲ１５はハロゲン原子である、請求項１に記載のポリマー。
【請求項９】
前記エポキシドの前記ＵＶ吸収部分が、誘導体化ベンゾフェノン部分、誘導体化ナフタレン部分、およびベンゾトリアゾール誘導体から選択される、請求項１に記載のポリマー。
【請求項１０】
（ｉ）ポリオールと二無水物とのエステル化であって、該エステル化は、実質的に無水物開環のみを容易にする条件下で行われて、少なくとも２つのペンダントカルボン酸基および少なくとも２つのヒドロキシル基を含むポリエステルポリマーを形成する、エステル化；ならびに
（ｉｉ）該ポリエステルポリマーの少なくとも１つのペンダントカルボン酸基および少なくとも１つの末端ヒドロキシル基と、官能基を有するエポキシドとの反応であって、該エポキシドは、ＵＶ吸収部分を含む、反応、
を包含する反応スキームの生成物である、ＵＶ吸収複合ポリオールポリエステルポリマーを含有するパーソナルケア組成物。
【請求項１１】
前記ポリオールがジオールであり、そして
前記二無水物がＵＶ吸収性であり、そしてベンゾフェノン部分を含み、
前記（ｉ）のエステル化工程が、式（ＩＸ）：
【化３２】
2013509491.tif 000004
によって表わされるような、ペンダントカルボン酸および末端ヒドロキシル基を含むポリエステルポリマーを与え、式（ＩＸ）において、Ｒ９は独立して、２個〜５４個の炭素原子および０個〜３０個のエーテル結合を有する炭化水素基から選択され、Ｒ１０は独立して、−Ｈまたは−ＯＨであり、そしてｎは、１〜１０００の整数である、請求項１０に記載の組成物。
【請求項１２】
パーソナルケア組成物の光安定性を増大させる方法であって、請求項１に記載のＵＶ吸収複合ポリオールポリエステルポリマーをパーソナルケア組成物に組み込む工程を包含する、方法。
【請求項１３】
哺乳動物の皮膚、毛およびまたは爪の一部分を、ＵＶ光による損傷から保護するための組成物であって、有効量の請求項１に記載のＵＶ吸収複合ポリオールポリエステルポリマーを含み、該組成物は、皮膚、毛または爪の該部分に付けられることを特徴とする、組成物。
【請求項１４】
非ポリマー性ＵＶ吸収化合物を含有する光保護パーソナルケア組成物を光安定化させる方法であって、該組成物に、有効量の請求項１に記載のポリマーを組み込む工程を包含する、方法。
【請求項１５】
前記非ポリマー性ＵＶ吸収化合物が、アボベンゾン、オクチルメトキシシンナメートおよびこれらの組み合わせから選択される、請求項１４に記載の方法。
【請求項１６】
非ポリマー性ＵＶ吸収化合物を含有する組成物のＵＶ−Ａ／ＵＶ−Ｂ比を増大させる方法であって、該組成物に、有効量の請求項１に記載のポリマーを組み込む工程を包含し、保護の該増大が、Ｂｏｏｔｓ法を使用して評価される、方法。
【請求項１７】
非ポリマー性ＵＶ吸収化合物を含有する光保護パーソナルケア組成物の日光阻止因子を増大させる方法であって、該組成物に、有効量の請求項１に記載のポリマーを組み込む工程を包含する、方法。
【請求項１８】
非ポリマー性ＵＶ吸収化合物を含有する光保護パーソナルケア組成物により提供されるＵＶ−Ａ保護を増大させる方法であって、該組成物に、有効量の請求項１に記載のポリマーを組み込む工程を包含する、方法。
【請求項１９】
提供される前記ＵＶ−Ａ保護が、ＦＤＡ  Ｓｔａｒ法、ＣＯＬＩＰＡ指針、Ｂｏｏｔｓ法、およびＤｉｆｆｅｙプロトコルから選択される方法を使用して評価される、請求項１８に記載の方法。
【請求項２０】
式（ＸＩ）：
【化３４】
2013509491.tif 000005
により表される線状ＵＶ吸収複合ポリオールポリエステルポリマーであって、式（ＸＩ）において、Ｒ３は独立して、ＵＶ吸収部分から選択され；Ｒ４およびＲ５は、各々独立して、炭化水素基から選択され、そしてｎは、１〜１０００の整数である、線状ＵＶ吸収複合ポリオールポリエステルポリマー。
【請求項２１】
前記ＵＶ吸収部分が、ＵＶ吸収ベンゾトリアゾール基を含む化合物から選択される、請求項２０に記載のポリマー。
【請求項２２】
前記ＵＶ吸収ベンゾトリアゾール基が、構造（Ｉａ）：
【化３５】
2013509491.tif 000006
により表わされ、構造（Ｉａ）において、Ｒ６は独立して、水素原子またはハロゲン原子であり、そしてＲ４は、炭化水素基である、請求項２０に記載のポリマー。
【請求項２３】
前記ＵＶ吸収ベンゾトリアゾール基が、３−（２Ｈ−ベンゾトリアゾール−２−イル）−５−（１，１−ジメチルエチル）−４−ヒドロキシベンゼンプロパン酸アルキルエステル；３−（２Ｈ−ベンゾトリアゾール−２−イル）−５−（１，１−ジメチルエチル）−４−ヒドロキシベンゼンプロパン酸；３−（５−クロロ−２Ｈ−ベンゾトリアゾール−２−イル）−５−（１，１−ジメチルエチル）−４−ヒドロキシベンゼンプロパン酸アルキルエステル；および３−（５−クロロ−２Ｈ−ベンゾトリアゾール−２−イル）−５−（１，１−ジメチルエチル）−４−ヒドロキシベンゼンプロパン酸、ならびに／またはこれらの誘導体から選択される、請求項２０に記載のポリマー。
【請求項２４】
前記３−（２Ｈ−ベンゾトリアゾール−２−イル）−５−（１，１−ジメチルエチル）−４−ヒドロキシベンゼンプロパン酸アルキルエステルおよび／または前記３−（５−クロロ−２Ｈ−ベンゾトリアゾール−２−イル）−５−（１，１−ジメチルエチル）−４−ヒドロキシベンゼンプロパン酸アルキルエステルが各々独立して、メチルエステルである、請求項２０に記載のポリマー。
【請求項２５】
Ｒ４およびＲ５が各々独立して、２個〜５４個の炭素原子および０個〜３０個のエーテル結合を有する炭化水素基から選択され、該炭化水素基の炭素の各々が独立して、置換または非置換であり、そして飽和または不飽和である、請求項２０に記載のポリマー。
【請求項２６】
式（ＸＩ）：
【化３６】
2013509491.tif 000007
により表わされる線状ＵＶ吸収複合ポリオールポリエステルポリマーを含有するパーソナルケア組成物であって、式（ＸＩ）において、Ｒ３は独立して、ＵＶ吸収部分から選択され；Ｒ４およびＲ５は、各々独立して、炭化水素基から選択され、そしてｎは、１〜１０００の整数であり、該複合ポリオールポリエステルポリマーは、ＵＶ吸収部分と、２個以下の官能基を有する反応物の１つ以上との反応によって形成される、パーソナルケア組成物。
【請求項２７】
前記ＵＶ吸収部分が、ＵＶ吸収ベンゾトリアゾール基を含む化合物から選択される、請求項２６に記載の組成物。
【請求項２８】
前記ＵＶ吸収ベンゾトリアゾール基が、構造（Ｉａ）：
【化３７】
2013509491.tif 000008
により表わされ、構造（Ｉａ）において、Ｒ６は独立して、水素原子またはハロゲン原子であり、そしてＲ４は、炭化水素基である、請求項２６に記載の組成物。
【請求項２９】
Ｒ４およびＲ５が各々独立して、２個〜５４個の炭素原子および０個〜３０個のエーテル結合を有する炭化水素基から選択され、該炭化水素基の炭素の各々が独立して、置換または非置換であり、そして飽和または不飽和である、請求項２６に記載の組成物。
【請求項３０】
植物油、界面活性剤、脂質、アルコール、蝋、色素、ビタミン、香料、漂白剤、抗菌剤、抗炎症剤、抗真菌剤、増粘剤、ガム、デンプン、キトサン、ポリマー材料、セルロース材料、グリセリン、タンパク質、アミノ酸、ケラチン繊維、脂肪酸、シロキサン、植物抽出物、研磨剤、化学剥離剤、機械剥離剤、ケーキング防止剤、酸化防止剤、結合剤、粘土、生物学的添加剤、緩衝剤、増量剤、キレート剤、フィルム形成剤、湿潤剤、不透明化剤、ｐＨ調整剤、防腐剤、プロペラント、還元剤、皮膚暗色化剤、精油、皮膚感覚剤、およびこれらの組み合わせから選択される１つ以上の成分をさらに含有する、請求項２６に記載の組成物。
【請求項３１】
パーソナルケア組成物の光安定性を増大させる方法であって、請求項２０に記載の線状ＵＶ吸収複合ポリオールポリエステルポリマーをパーソナルケア組成物に組み込む工程を包含し、請求項２０に記載の複合ポリオールポリエステルポリマーは、ＵＶ吸収部分と、２個以下の官能基を有する反応物との反応によって形成される、および／または、該組成物は、請求項２０に記載の複合ポリオールポリエステルポリマーと異なる少なくとも１種のさらなるＵＶ保護剤をさらに含み、少なくとも１種のさらなるＵＶ保護剤は、請求項２０に記載のポリマーの非存在下で遮光剤として働くのに有効な量で該組成物中に存在する、方法。
【請求項３２】
哺乳動物の皮膚、毛およびまたは爪の一部分を、ＵＶ光による損傷から保護するための、請求項２６に記載の組成物であって、前記組成物は、皮膚、毛または爪の該部分に付けられることを特徴とする、組成物。
【請求項３３】
遮光剤として働くのに有効な量で非ポリマー性ＵＶ吸収化合物を含有する光保護パーソナルケア組成物を光安定化させる方法であって、該組成物に、有効量の請求項２０に記載の線状ＵＶ吸収複合ポリオールポリエステルポリマーを組み込む工程を包含する、方法。
【請求項３４】
遮光剤として働くのに有効な量で非ポリマー性ＵＶ吸収化合物を含有する組成物のＵＶ−Ａ／ＵＶ−Ｂ比を増大させる方法であって、該組成物に、有効量の請求項２０に記載の線状ＵＶ吸収複合ポリオールポリエステルポリマーを組み込む工程を包含し、保護の該増大が、Ｂｏｏｔｓ法を使用して評価される、方法。
【請求項３５】
遮光剤として働くのに有効な量で非ポリマー性ＵＶ吸収化合物を含有する光保護パーソナルケア組成物の日光阻止因子を増大させる方法であって、該組成物に、請求項２０に記載の線状ＵＶ吸収複合ポリオールポリエステルポリマーに組み込む工程を包含する、方法。
【請求項３６】
遮光剤として働くのに有効な量で非ポリマー性ＵＶ吸収化合物を含有する光保護パーソナルケア組成物により提供されるＵＶ−Ａ保護を増大させる方法であって、該組成物に、有効量の請求項２０に記載の線状ＵＶ吸収複合ポリオールポリエステルポリマーを組み込む工程を包含する、方法。
【請求項３７】
ＵＶ吸収部分を含む単官能性カルボン酸および／またはエステルと、
ジオール、ポリオール、二酸および／またはエステルのうちの少なくとも１つと
のランダム共重合エステル化エステル化反応の反応生成物および／またはエステル化生成物である、架橋ＵＶ吸収複合ポリオールポリエステルポリマーであって、該ポリマーが２．０より大きいＵＶ吸収機能を有する、ポリマー。
【請求項３８】
前記単官能性カルボン酸および／またはエステルが、式（Ｉ）：
【化３９】
2013509491.tif 000009
により表わされ、式（Ｉ）において、Ｒ６は独立して、水素原子またはハロゲン原子から選択され、Ｒ４は、炭化水素基であり、そしてＡは、カルボン酸およびエステルからなる群より選択される官能基である、請求項３７に記載のポリマー。
【請求項３９】
ＵＶ吸収部分を含む単官能性カルボン酸および／またはエステルと、
ジオール、二酸および／またはエステルのうちの少なくとも１つと
のランダム共重合エステル化エステル化反応の反応生成物および／またはエステル化生成物である架橋ＵＶ吸収複合ポリオールポリエステルポリマーを含有する、パーソナルケア組成物であって、該ポリマーが２．０以下のＵＶ吸収部分密度を有する、パーソナルケア組成物。
【請求項４０】
（ＸＩＩＩ）：
【化４１】
2013509491.tif 000010
により表わされる構造を有するＵＶ吸収部分を含む単官能性剤と、
式（ＸＩＶ）〜（ＸＶ）：
【化４２】
2013509491.tif 000011
【化４３】
2013509491.tif 000012
により表わされる構造を有するものを含むさらなる試薬との反応生成物である、架橋ＵＶ吸収複合ポリオールポリエステルポリマー。
【請求項４１】
請求項４０に記載のポリマーおよび請求項４０に記載のポリマーと異なるＵＶ保護剤を含有するパーソナルケア組成物であって、該ＵＶ保護剤は、請求項４０のポリマーの非存在下で、ＵＶ吸収遮光剤として有効な量で存在する、組成物。
【請求項４２】
ＵＶ吸収部分を含む単官能性カルボン酸および／またはエステルと、
ジオール、ポリオール、二酸および／またはエステルのうちの少なくとも１つと
のランダム共重合エステル化エステル化反応の反応生成物および／またはエステル化生成物である、架橋ＵＶ吸収複合ポリオールポリエステルポリマー、ならびに、
該架橋ＵＶ吸収複合ポリオールポリエステルポリマーの非存在下で遮光剤として働くのに有効な量で存在する非ポリマー性ＵＶ吸収剤
を含有する、パーソナルケア組成物。
【手続補正２】
【補正対象書類名】明細書
【補正対象項目名】００２６
【補正方法】変更
【補正の内容】
【００２６】
上記要旨および以下の発明の実施形態の詳細な説明は、添付の図と合わせて読まれると、よりよく理解され得る。本発明は、示される正確な配置および手段に限定されないことが理解されるべきである。
例えば、本発明は以下の項目を提供する。
（項目１）
（ｉ）ポリオールと二無水物とのエステル化であって、該エステル化は、実質的に無水物開環のみを容易にする条件下で行われて、少なくとも２つのペンダントカルボン酸基および少なくとも２つのヒドロキシル基を含むポリエステルポリマーを形成する、エステル化；ならびに
（ｉｉ）該ポリエステルポリマーの少なくとも１つのペンダントカルボン酸基および少なくとも１つの末端ヒドロキシル基と、官能基を有するエポキシドとの反応であって、該エポキシドは、ＵＶ吸収部分を含む、反応、
を包含する反応スキームの生成物である、ＵＶ吸収複合ポリオールポリエステルポリマー。
（項目２）
前記ポリオールがジオールであり、そして
前記二無水物がＵＶ吸収性であり、そしてベンゾフェノン部分を含み、
前記（ｉ）のエステル化工程が、式（ＩＸ）：
【化２７】
2013509491.tif 000013
によって表わされるような、ペンダントカルボン酸および末端ヒドロキシル基を含むポリエステルポリマーを与え、式（ＩＸ）において、Ｒ９は独立して、２個〜５４個の炭素原子および０個〜３０個のエーテル結合を有する炭化水素基から選択され、Ｒ１０は独立して、−Ｈまたは−ＯＨであり、そしてｎは、１〜１０００の整数である、項目１に記載のＵＶ吸収複合ポリオールポリエステルポリマー。
（項目３）
前記工程（ｉｉ）の反応が、前記エポキシドの前記官能基と、前記ポリエステルポリマーの前記ヒドロキシル基および／または前記カルボン酸基とのエーテル化反応を包含する、項目２に記載のポリマー。
（項目４）
前記ポリオールがジオールであり、そして
前記二無水物がＵＶ吸収性ではなく、
前記（ｉ）のエステル化工程が、式（Ｘ）：
【化２８】
2013509491.tif 000014
により表わされる、少なくとも２つのペンダントカルボン酸基および２つの末端ヒドロキシル基を含むポリエステルポリマーを与え、式（Ｘ）において、Ｒ９は独立して、２個〜５４個の炭素原子および０個〜３０個のエーテル結合を有する炭化水素基から選択され、そしてｎは、１〜１０００の整数である、項目１に記載のポリマー。
（項目５）
前記工程（ｉｉ）の反応が、前記エポキシドの前記官能基と、前記ポリエステルポリマーの前記ヒドロキシル基および／または前記カルボン酸基のうちの少なくとも１つとのエーテル化反応を包含する、項目４に記載のポリマー。
（項目６）
前記エポキシドがＵＶ吸収アルコールのエポキシ化から誘導される、項目１に記載のポリマー。
（項目７）
前記エポキシドがＵＶ吸収カルボン酸のエポキシ化から誘導される、項目１に記載のポリマー。
（項目８）
前記エポキシドが、反応スキーム８Ａ：
【化２９】
2013509491.tif 000015
により表わされる反応から誘導され、反応スキーム８Ａにおいて、Ｒ１３は、ＵＶ吸収部分を含み、そしてＲ１４は独立して、水素原子、ならびに１個〜５４個の炭素原子および０個〜３０個のエーテル結合を有する炭化水素基から選択され、そしてＲ１５はハロゲン原子である、項目１に記載のポリマー。
（項目９）
前記エポキシドが、ＵＶ吸収カルボン酸から、反応スキーム：
【化３０】
2013509491.tif 000016
により表わされる反応から誘導され、該反応スキームにおいて、Ｒ１３は、ＵＶ吸収部分を含み、そしてＲ１４は独立して、水素原子、ならびに１個〜５４個の炭素原子および０個〜３０個のエーテル結合を有する炭化水素基から選択され、そしてＲ１５はハロゲン原子である、項目１に記載のポリマー。
（項目１０）
前記エポキシドの前記ＵＶ吸収部分が、誘導体化ベンゾフェノン部分、誘導体化ナフタレン部分、およびベンゾトリアゾール誘導体から選択される、項目１に記載のポリマー。
（項目１１）
前記エポキシドの前記ＵＶ吸収部分が、ビス−エチルヘキシルオキシフェノールメトキシフェニルトリアジン；ブチルメトキシジベンゾイルメタン；ジエチルアミノヒドロキシベンゾイルヘキシルベンゾエート；フェニルジベンゾイミダゾールテトラスルホン酸二ナトリウム；ドロメトリゾールトリシロキサン；メチレンビス−ベンゾトリアゾリルテトラメチルブチルフェノール；およびこれらの誘導体から選択される、項目１に記載のポリマー。
（項目１２）
前記エポキシドの前記ＵＶ吸収部分が、テレフタリリデンジショウノウスルホン酸；アントラニル酸メチル；メチレンビス−ベンゾトリアゾリルテトラメチルブチルフェノール；４−メチルベンジリデンショウノウ；ベンゾフェノン−３；ベンゾフェノン−４；ジエチルヘキシルブタミドトリアゾン；エチルヘキシルメトキシシンナメート；およびこれらの誘導体から選択される、項目１に記載のポリマー。
（項目１３）
前記エポキシドの前記ＵＶ吸収部分が、サリチル酸エチルヘキシル；エチルヘキシルトリアゾン；エチルヘキシルジメチルＰＡＢＡ；サリチル酸ホモメンチル；ｐ−メトキシケイ皮酸イソアミル；オクトクリレン；フェニルベンゾイミダゾールスルホン酸；ポリシリコーン−１５；ベンゾトリアゾリルドデシルｐ−クレゾール；サリチル酸ブチルオクチル；２，６−ナフタル酸ジエチルヘキシル；ジエチルヘキシルシリンギリデンマロネートおよびポリエステル−８；ならびにこれらの誘導体から選択される、項目１に記載のポリマー。
（項目１４）
（ｉ）ポリオールと二無水物とのエステル化であって、該エステル化は、実質的に無水物開環のみを容易にする条件下で行われて、少なくとも２つのペンダントカルボン酸基および少なくとも２つのヒドロキシル基を含むポリエステルポリマーを形成する、エステル化；ならびに
（ｉｉ）該ポリエステルポリマーの少なくとも１つのペンダントカルボン酸基および少なくとも１つの末端ヒドロキシル基と、官能基を有するエポキシドとの反応であって、該エポキシドは、ＵＶ吸収部分を含む、反応、
を包含する反応スキームの生成物である、ＵＶ吸収複合ポリオールポリエステルポリマーを含有するパーソナルケア組成物。
（項目１５）
植物油、界面活性剤、脂質、アルコール、蝋、色素、ビタミン、香料、漂白剤、抗菌剤、抗炎症剤、抗真菌剤、増粘剤、ガム、デンプン、キトサン、ポリマー材料、セルロース材料、グリセリン、タンパク質、アミノ酸、ケラチン繊維、脂肪酸、シロキサン、植物抽出物、研磨剤、化学剥離剤、機械剥離剤、ケーキング防止剤、酸化防止剤、結合剤、粘土、生物学的添加剤、緩衝剤、増量剤、キレート剤、フィルム形成剤、湿潤剤、不透明化剤、ｐＨ調整剤、防腐剤、プロペラント、還元剤、皮膚暗色化剤、精油、皮膚感覚剤、およびこれらの組み合わせから選択される１つ以上の成分をさらに含有する、項目１４に記載の組成物。
（項目１６）
光学光沢剤をさらに含有する、項目１４に記載の組成物。
（項目１７）
前記光学光沢剤が、トリアジン−スチルベン（ジスルホン化物、テトラスルホン化物またはヘキサスルホン化物）、クマリン、イミダゾリン、ジアゾール、トリアゾール、ベンゾオキサゾリン、およびビフェニルスチルベンから選択される、項目１６に記載の組成物。
（項目１８）
前記光学光沢剤がチオフェン誘導体である、項目１６に記載の組成物。
（項目１９）
前記光学光沢剤がビス（ｔ−ブチルベンゾオキサゾリル）チオフェンである、項目１６に記載の組成物。
（項目２０）
前記光学光沢剤が、式（ＸＩＩ）
【化３１】
2013509491.tif 000017
により表され、式（ＸＩＩ）において、Ｒ１およびＲ２は独立して、分枝および非分枝の、飽和または不飽和の、１個〜１０個の炭素原子を有するアルキル基から選択される、項目１６に記載の組成物。
（項目２１）
前記ポリオールがジオールであり、そして
前記二無水物がＵＶ吸収性であり、そしてベンゾフェノン部分を含み、
前記（ｉ）のエステル化工程が、式（ＩＸ）：
【化３２】
2013509491.tif 000018
によって表わされるような、ペンダントカルボン酸および末端ヒドロキシル基を含むポリエステルポリマーを与え、式（ＩＸ）において、Ｒ９は独立して、２個〜５４個の炭素原子および０個〜３０個のエーテル結合を有する炭化水素基から選択され、Ｒ１０は独立して、−Ｈまたは−ＯＨであり、そしてｎは、１〜１０００の整数である、項目１４に記載の組成物。
（項目２２）
前記工程（ｉｉ）の反応が、前記エポキシドの前記官能基と、前記ポリエステルポリマーの前記ヒドロキシル基および／または前記カルボン酸基とのエーテル化反応を包含する、項目１４に記載の組成物。
（項目２３）
前記ポリオールがジオールであり、そして
前記二無水物がＵＶ吸収性ではなく、
前記（ｉ）のエステル化工程が、式（Ｘ）：
【化３３】
2013509491.tif 000019
により表わされる、少なくとも２つのペンダントカルボン酸基および２つの末端ヒドロキシル基を含むポリエステルポリマーを与え、式（Ｘ）において、Ｒ９は独立して、２個〜５４個の炭素原子および０個〜３０個のエーテル結合を有する炭化水素基から選択され、そしてｎは、１〜１０００の整数である、項目１４に記載の組成物。
（項目２４）
前記工程（ｉｉ）の反応が、前記エポキシドの前記官能基と、前記ポリエステルポリマーの前記ヒドロキシル基および／または前記カルボン酸基のうちの少なくとも１つとのエーテル化反応を包含する、項目１４に記載の組成物。
（項目２５）
前記エポキシドがＵＶ吸収アルコールのエポキシ化から誘導される、項目１４に記載の組成物。
（項目２６）
前記エポキシドがＵＶ吸収カルボン酸のエポキシ化から誘導される、項目１４に記載の組成物。
（項目２７）
少なくとも１種の非ポリマー性ＵＶ吸収化合物をさらに含有する、項目１４に記載の組成物。
（項目２８）
前記非ポリマー性ＵＶ吸収化合物が、アボベンゾン、オクチルメトキシシンナメートおよびこれらの組み合わせから選択される、項目２７に記載の方法。
（項目２９）
パーソナルケア組成物の光安定性を増大させる方法であって、項目１に記載のＵＶ吸収複合ポリオールポリエステルポリマーをパーソナルケア組成物に組み込む工程を包含する、方法。
（項目３０）
哺乳動物の皮膚、毛およびまたは爪の一部分を、ＵＶ光による損傷から保護する方法であって、有効量の項目１に記載のＵＶ吸収複合ポリオールポリエステルポリマーを、皮膚、毛または爪の該部分に付ける工程を包含する、方法。
（項目３１）
非ポリマー性ＵＶ吸収化合物を含有する光保護パーソナルケア組成物を光安定化させる方法であって、該組成物に、有効量の項目１に記載のポリマーを組み込む工程を包含する、方法。
（項目３２）
前記非ポリマー性ＵＶ吸収化合物が、アボベンゾン、オクチルメトキシシンナメートおよびこれらの組み合わせから選択される、項目３１に記載の方法。
（項目３３）
非ポリマー性ＵＶ吸収化合物を含有する組成物のＵＶ−Ａ／ＵＶ−Ｂ比を増大させる方法であって、該組成物に、有効量の項目１に記載のポリマーを組み込む工程を包含し、保護の該増大が、Ｂｏｏｔｓ法を使用して評価される、方法。
（項目３４）
非ポリマー性ＵＶ吸収化合物を含有する光保護パーソナルケア組成物の日光阻止因子を増大させる方法であって、該組成物に、有効量の項目１に記載のポリマーを組み込む工程を包含する、方法。
（項目３５）
前記非ポリマー性ＵＶ吸収化合物が、アボベンゾン、オクチルメトキシシンナメートおよびこれらの組み合わせから選択される、項目３４に記載の方法。
（項目３６）
非ポリマー性ＵＶ吸収化合物を含有する光保護パーソナルケア組成物により提供されるＵＶ−Ａ保護を増大させる方法であって、該組成物に、有効量の項目１に記載のポリマーを組み込む工程を包含する、方法。
（項目３７）
前記非ポリマー性ＵＶ吸収化合物が、アボベンゾン、オクチルメトキシシンナメートおよびこれらの組み合わせから選択される、項目３６に記載の方法。
（項目３８）
提供される前記ＵＶ−Ａ保護が、ＦＤＡ  Ｓｔａｒ法、ＣＯＬＩＰＡ指針、Ｂｏｏｔｓ法、およびＤｉｆｆｅｙプロトコルから選択される方法を使用して評価される、項目３６に記載の方法。
（項目３９）
式（ＸＩ）：
【化３４】
2013509491.tif 000020
により表される線状ＵＶ吸収複合ポリオールポリエステルポリマーであって、式（ＸＩ）において、Ｒ３は独立して、ＵＶ吸収部分から選択され；Ｒ４およびＲ５は、各々独立して、炭化水素基から選択され、そしてｎは、１〜１０００の整数である、線状ＵＶ吸収複合ポリオールポリエステルポリマー。
（項目４０）
前記ＵＶ吸収部分が、ＵＶ吸収ベンゾトリアゾール基を含む化合物から選択される、項目３９に記載のポリマー。
（項目４１）
前記ＵＶ吸収ベンゾトリアゾール基が、構造（Ｉａ）：
【化３５】
2013509491.tif 000021
により表わされ、構造（Ｉａ）において、Ｒ６は独立して、水素原子またはハロゲン原子であり、そしてＲ４は、炭化水素基である、項目３９に記載のポリマー。
（項目４２）
前記ＵＶ吸収ベンゾトリアゾール基が、３−（２Ｈ−ベンゾトリアゾール−２−イル）−５−（１，１−ジメチルエチル）−４−ヒドロキシベンゼンプロパン酸アルキルエステル；３−（２Ｈ−ベンゾトリアゾール−２−イル）−５−（１，１−ジメチルエチル）−４−ヒドロキシベンゼンプロパン酸；３−（５−クロロ−２Ｈ−ベンゾトリアゾール−２−イル）−５−（１，１−ジメチルエチル）−４−ヒドロキシベンゼンプロパン酸アルキルエステル；および３−（５−クロロ−２Ｈ−ベンゾトリアゾール−２−イル）−５−（１，１−ジメチルエチル）−４−ヒドロキシ−、ならびに／またはこれらの誘導体から選択される、項目３９に記載のポリマー。
（項目４３）
前記３−（２Ｈ−ベンゾトリアゾール−２−イル）−５−（１，１−ジメチルエチル）−４−ヒドロキシベンゼンプロパン酸アルキルエステルおよび／または前記３−（５−クロロ−２Ｈ−ベンゾトリアゾール−２−イル）−５−（１，１−ジメチルエチル）−４−ヒドロキシベンゼンプロパン酸アルキルエステルが各々独立して、メチルエステルである、項目３９に記載のポリマー。
（項目４４）
Ｒ４およびＲ５が各々独立して、２個〜５４個の炭素原子および０個〜３０個のエーテル結合を有する炭化水素基から選択され、該炭化水素基の炭素の各々が独立して、置換または非置換であり、そして飽和または不飽和である、項目３９に記載のポリマー。
（項目４５）
式（ＸＩ）：
【化３６】
2013509491.tif 000022
により表わされる線状ＵＶ吸収複合ポリオールポリエステルポリマーを含有するパーソナルケア組成物であって、式（ＸＩ）において、Ｒ３は独立して、ＵＶ吸収部分から選択され；Ｒ４およびＲ５は、各々独立して、炭化水素基から選択され、そしてｎは、１〜１０００の整数である、パーソナルケア組成物。
（項目４６）
前記ＵＶ吸収部分が、ＵＶ吸収ベンゾトリアゾール基を含む化合物から選択される、項目４５に記載の組成物。
（項目４７）
前記ＵＶ吸収ベンゾトリアゾール基が、構造（Ｉａ）：
【化３７】
2013509491.tif 000023
により表わされ、構造（Ｉａ）において、Ｒ６は独立して、水素原子またはハロゲン原子であり、そしてＲ４は、炭化水素基である、項目４６に記載の組成物。
（項目４８）
前記ＵＶ吸収ベンゾトリアゾール基が、３−（２Ｈ−ベンゾトリアゾール−２−イル）−５−（１，１−ジメチルエチル）−４−ヒドロキシベンゼンプロパン酸アルキルエステル；３−（２Ｈ−ベンゾトリアゾール−２−イル）−５−（１，１−ジメチルエチル）−４−ヒドロキシベンゼンプロパン酸；３−（５−クロロ−２Ｈ−ベンゾトリアゾール−２−イル）−５−（１，１−ジメチルエチル）−４−ヒドロキシベンゼンプロパン酸アルキルエステル；および３−（５−クロロ−２Ｈ−ベンゾトリアゾール−２−イル）−５−（１，１−ジメチルエチル）−４−ヒドロキシ−、ならびに／またはこれらの誘導体から選択される、項目４６に記載の組成物。
（項目４９）
前記３−（２Ｈ−ベンゾトリアゾール−２−イル）−５−（１，１−ジメチルエチル）−４−ヒドロキシベンゼンプロパン酸アルキルエステルおよび／または前記３−（５−クロロ−２Ｈ−ベンゾトリアゾール−２−イル）−５−（１，１−ジメチルエチル）−４−ヒドロキシベンゼンプロパン酸アルキルエステルが各々独立して、メチルエステルである、項目４６に記載の組成物。
（項目５０）
Ｒ４およびＲ５が各々独立して、２個〜５４個の炭素原子および０個〜３０個のエーテル結合を有する炭化水素基から選択され、該炭化水素基の炭素の各々が独立して、置換または非置換であり、そして飽和または不飽和である、項目４５に記載の組成物。
（項目５１）
植物油、界面活性剤、脂質、アルコール、蝋、色素、ビタミン、香料、漂白剤、抗菌剤、抗炎症剤、抗真菌剤、増粘剤、ガム、デンプン、キトサン、ポリマー材料、セルロース材料、グリセリン、タンパク質、アミノ酸、ケラチン繊維、脂肪酸、シロキサン、植物抽出物、研磨剤、化学剥離剤、機械剥離剤、ケーキング防止剤、酸化防止剤、結合剤、粘土、生物学的添加剤、緩衝剤、増量剤、キレート剤、フィルム形成剤、湿潤剤、不透明化剤、ｐＨ調整剤、防腐剤、プロペラント、還元剤、皮膚暗色化剤、精油、皮膚感覚剤、およびこれらの組み合わせから選択される１つ以上の成分をさらに含有する、項目４５に記載の組成物。
（項目５２）
光学光沢剤をさらに含有する、項目４５に記載の組成物。
（項目５３）
前記光学光沢剤が、トリアジン−スチルベン（ジスルホン化物、テトラスルホン化物またはヘキサスルホン化物）、クマリン、イミダゾリン、ジアゾール、トリアゾール、ベンゾオキサゾリン、およびビフェニルスチルベンから選択される、項目４５に記載の組成物。
（項目５４）
前記光学光沢剤がチオフェン誘導体である、項目４５に記載の組成物。
（項目５５）
前記光学光沢剤がビス（ｔ−ブチルベンゾオキサゾリル）チオフェンである、項目４５に記載の組成物。
（項目５６）
前記光学光沢剤が、式：
【化３８】
2013509491.tif 000024
により表され、該式において、Ｒ１およびＲ２は独立して、分枝および非分枝の、飽和または不飽和の、１個〜１０個の炭素原子を有するアルキル基から選択される、項目４５に記載の組成物。
（項目５７）
パーソナルケア組成物の光安定性を増大させる方法であって、項目３４に記載の線状ＵＶ吸収複合ポリオールポリエステルポリマーをパーソナルケア組成物に組み込む工程を包含する、方法。
（項目５８）
哺乳動物の皮膚、毛およびまたは爪の一部分を、ＵＶ光による損傷から保護する方法であって、有効量の項目３９に記載の線状ＵＶ吸収複合ポリオールポリエステルポリマーを、皮膚、毛または爪の該部分に付ける工程を包含する、方法。
（項目５９）
非ポリマー性ＵＶ吸収化合物を含有する光保護パーソナルケア組成物を光安定化させる方法であって、該組成物に、有効量の項目３９に記載の線状ＵＶ吸収複合ポリオールポリエステルポリマーを組み込む工程を包含する、方法。
（項目６０）
前記非ポリマー性ＵＶ吸収化合物が、アボベンゾン、オクチルメトキシシンナメートおよびこれらの組み合わせから選択される、項目５９に記載の方法。
（項目６１）
非ポリマー性ＵＶ吸収化合物を含有する組成物のＵＶ−Ａ／ＵＶ−Ｂ比を増大させる方法であって、該組成物に、有効量の項目３９に記載の線状ＵＶ吸収複合ポリオールポリエステルポリマーを組み込む工程を包含し、保護の該増大が、Ｂｏｏｔｓ法を使用して評価される、方法。
（項目６２）
非ポリマー性ＵＶ吸収化合物を含有する光保護パーソナルケア組成物の日光阻止因子を増大させる方法であって、項目３９に記載の線状ＵＶ吸収複合ポリオールポリエステルポリマーに組み込む工程を包含する、方法。
（項目６３）
前記非ポリマー性ＵＶ吸収化合物が、アボベンゾン、オクチルメトキシシンナメートおよびこれらの組み合わせから選択される、項目６２に記載の方法。
（項目６４）
非ポリマー性ＵＶ吸収化合物を含有する光保護パーソナルケア組成物により提供されるＵＶ−Ａ保護を増大させる方法であって、該組成物に、有効量の項目３９に記載の線状ＵＶ吸収複合ポリオールポリエステルポリマーを組み込む工程を包含する、方法。
（項目６５）
前記非ポリマー性ＵＶ吸収化合物が、アボベンゾン、オクチルメトキシシンナメートおよびこれらの組み合わせから選択される、項目６４に記載の方法。
（項目６６）
提供される前記ＵＶ−Ａ保護が、ＦＤＡ  Ｓｔａｒ法、ＣＯＬＩＰＡ指針、Ｂｏｏｔｓ法、およびＤｉｆｆｅｙプロトコルから選択される方法を使用して評価される、項目６５に記載の方法。
（項目６７）
ＵＶ吸収部分を含む単官能性カルボン酸および／またはエステルと、
ジオール、ポリオール、二酸および／またはエステルのうちの少なくとも１つと
のランダム共重合エステル化エステル化反応の反応生成物および／またはエステル化生成物である、架橋ＵＶ吸収複合ポリオールポリエステルポリマーであって、該ポリマーが２．０より大きいＵＶ吸収機能を有する、ポリマー。
（項目６８）
前記単官能性カルボン酸および／またはエステルが、式（Ｉ）：
【化３９】
2013509491.tif 000025
により表わされ、式（Ｉ）において、Ｒ６は独立して、水素原子またはハロゲン原子から選択され、Ｒ４は、炭化水素基であり、そしてＡは、カルボン酸およびエステルからなる群より選択される官能基である、項目６７に記載のポリマー。
（項目６９）
ＵＶ吸収部分を含む単官能性カルボン酸および／またはエステルと、
ジオール、ポリオール、二酸および／またはエステルのうちの少なくとも１つと
のランダム共重合エステル化エステル化反応の反応生成物および／またはエステル化生成物である架橋ＵＶ吸収複合ポリオールポリエステルポリマーを含有する、パーソナルケア組成物であって、該ポリマーが２．０より大きいＵＶ吸収機能を有する、パーソナルケア組成物。
（項目７０）
植物油、界面活性剤、脂質、アルコール、蝋、色素、ビタミン、香料、漂白剤、抗菌剤、抗炎症剤、抗真菌剤、増粘剤、ガム、デンプン、キトサン、ポリマー材料、セルロース材料、グリセリン、タンパク質、アミノ酸、ケラチン繊維、脂肪酸、シロキサン、植物抽出物、研磨剤、化学剥離剤、機械剥離剤、ケーキング防止剤、酸化防止剤、結合剤、粘土、生物学的添加剤、緩衝剤、増量剤、キレート剤、フィルム形成剤、湿潤剤、不透明化剤、ｐＨ調整剤、防腐剤、プロペラント、還元剤、皮膚暗色化剤、精油、皮膚感覚剤、およびこれらの組み合わせから選択される１つ以上の成分をさらに含有する、項目６８に記載の組成物。
（項目７１）
光学光沢剤をさらに含有する、項目６９に記載の組成物。
（項目７２）
前記光学光沢剤が、トリアジン−スチルベン（ジスルホン化物、テトラスルホン化物またはヘキサスルホン化物）、クマリン、イミダゾリン、ジアゾール、トリアゾール、ベンゾオキサゾリン、およびビフェニルスチルベンから選択される、項目７１に記載の組成物。
（項目７３）
前記光学光沢剤がビス（ｔ−ブチルベンゾオキサゾリル）チオフェンである、項目７１に記載の組成物。
（項目７４）
前記光学光沢剤が、式（ＸＩＩ）
【化４０】
2013509491.tif 000026
により表され、式（ＸＩＩ）において、Ｒ１およびＲ２は独立して、分枝および非分枝の、飽和または不飽和の、１個〜１０個の炭素原子を有するアルキル基から選択される、項目７１に記載の組成物。
（項目７５）
パーソナルケア組成物の光安定性を増大させる方法であって、項目６９に記載のＵＶ吸収複合ポリオールポリエステルポリマーをパーソナルケア組成物に組み込む工程を包含する、方法。
（項目７６）
哺乳動物の皮膚、毛または爪の一部分を、ＵＶ光による損傷から保護する方法であって、有効量の項目６９に記載のＵＶ吸収複合ポリオールポリエステルポリマーを、皮膚、毛または爪の該部分に付ける工程を包含する、方法。
（項目７７）
非ポリマー性ＵＶ吸収化合物を含有する光保護パーソナルケア組成物を光安定化させる方法であって、該組成物に、有効量の項目６９に記載のポリマーを組み込む工程を包含する、方法。
（項目７８）
前記非ポリマー性ＵＶ吸収化合物が、アボベンゾン、オクチルメトキシシンナメートおよびこれらの組み合わせから選択される、項目７７に記載の方法。
（項目７９）
非ポリマー性ＵＶ吸収化合物を含有する組成物のＵＶ−Ａ／ＵＶ−Ｂ比を増大させる方法であって、該組成物に、有効量の項目６９に記載のポリマーを組み込む工程を包含し、保護の該増大が、Ｂｏｏｔｓ法を使用して評価される、方法。
（項目８０）
非ポリマー性ＵＶ吸収化合物を含有する光保護パーソナルケア組成物の日光阻止因子を増大させる方法であって、該組成物に、有効量の項目６９に記載のポリマーを組み込む工程を包含する、方法。
（項目８１）
前記非ポリマー性ＵＶ吸収化合物が、アボベンゾン、オクチルメトキシシンナメートおよびこれらの組み合わせから選択される、項目８０に記載の方法。
（項目８２）
非ポリマー性ＵＶ吸収化合物を含有する光保護パーソナルケア組成物により提供されるＵＶ−Ａ保護を増大させる方法であって、該組成物に、有効量の項目６９に記載のポリマーを組み込む工程を包含する、方法。
（項目８３）
前記非ポリマー性ＵＶ吸収化合物が、アボベンゾン、オクチルメトキシシンナメートおよびこれらの組み合わせから選択される、項目８２に記載の方法。
（項目８４）
提供される前記ＵＶ−Ａ保護が、ＦＤＡ  Ｓｔａｒ法、ＣＯＬＩＰＡ指針、Ｂｏｏｔｓ法、およびＤｉｆｆｅｙプロトコルから選択される方法を使用して評価される、項目８２に記載の方法。
（項目８５）
（ＸＩＩＩ）：
【化４１】
2013509491.tif 000027
により表わされる構造を有するＵＶ吸収部分を含む単官能性剤と、
式（ＸＩＶ）〜（ＸＶ）：
【化４２】
2013509491.tif 000028
【化４３】
2013509491.tif 000029
により表わされる構造を有するものを含むさらなる試薬との反応生成物である、架橋ＵＶ吸収複合ポリオールポリエステルポリマー。
（項目８６）
項目８５に記載のポリマーを含有するパーソナルケア組成物。
（項目８７）
植物油、界面活性剤、脂質、アルコール、蝋、色素、ビタミン、香料、漂白剤、抗菌剤、抗炎症剤、抗真菌剤、増粘剤、ガム、デンプン、キトサン、ポリマー材料、セルロース材料、グリセリン、タンパク質、アミノ酸、ケラチン繊維、脂肪酸、シロキサン、植物抽出物、研磨剤、化学剥離剤、機械剥離剤、ケーキング防止剤、酸化防止剤、結合剤、粘土、生物学的添加剤、緩衝剤、増量剤、キレート剤、フィルム形成剤、湿潤剤、不透明化剤、ｐＨ調整剤、防腐剤、プロペラント、還元剤、皮膚暗色化剤、精油、皮膚感覚剤、およびこれらの組み合わせから選択される１つ以上の成分をさらに含有する、項目８６に記載の組成物。
（項目８８）
光学光沢剤をさらに含有する、項目８６に記載の組成物。
（項目８９）
前記光学光沢剤が、式（ＸＩＩ）
【化４４】
2013509491.tif 000030
により表され、式（ＸＩＩ）において、Ｒ１およびＲ２は独立して、分枝および非分枝の、飽和または不飽和の、１個〜１０個の炭素原子を有するアルキル基から選択される、項目８８に記載の組成物。
（項目９０）
パーソナルケア組成物の光安定性を増大させる方法であって、項目８５に記載のＵＶ吸収複合ポリオールポリエステルポリマーをパーソナルケア組成物に組み込む工程を包含する、方法。
（項目９１）
哺乳動物の皮膚、毛または爪の一部分を、ＵＶ光による損傷から保護する方法であって、有効量の項目８５に記載のＵＶ吸収複合ポリオールポリエステルポリマーを、皮膚、毛または爪の該部分に付ける工程を包含する、方法。
（項目９２）
非ポリマー性ＵＶ吸収化合物を含有する光保護パーソナルケア組成物を光安定化させる方法であって、該組成物に、有効量の項目８５に記載のポリマーを組み込む工程を包含する、方法。
（項目９３）
前記非ポリマー性ＵＶ吸収化合物が、アボベンゾン、オクチルメトキシシンナメートおよびこれらの組み合わせから選択される、項目９２に記載の方法。
（項目９４）
非ポリマー性ＵＶ吸収化合物を含有する組成物のＵＶ−Ａ／ＵＶ−Ｂ比を増大させる方法であって、該組成物に、有効量の項目９２に記載のポリマーを組み込む工程を包含し、保護の該増大が、Ｂｏｏｔｓ法を使用して評価される、方法。
（項目９５）
非ポリマー性ＵＶ吸収化合物を含有する光保護パーソナルケア組成物の日光阻止因子を増大させる方法であって、該組成物に、有効量の項目９２に記載のポリマーを組み込む工程を包含する、方法。
（項目９６）
前記非ポリマー性ＵＶ吸収化合物が、アボベンゾン、オクチルメトキシシンナメートおよびこれらの組み合わせから選択される、項目９５に記載の方法。
（項目９７）
非ポリマー性ＵＶ吸収化合物を含有する光保護パーソナルケア組成物により提供されるＵＶ−Ａ保護を増大させる方法であって、該組成物に、有効量の項目８５に記載のポリマーを組み込む工程を包含する、方法。
（項目９８）
提供される前記ＵＶ−Ａ保護が、ＦＤＡ  Ｓｔａｒ法、ＣＯＬＩＰＡ指針、Ｂｏｏｔｓ法、およびＤｉｆｆｅｙプロトコルから選択される方法を使用して評価される、項目８５に記載の方法。
（項目９９）
式（ＸＩＩ）：
【化４５】
2013509491.tif 000031
により表わされる光学光沢剤であって、式（ＸＩＩ）において、Ｒ１およびＲ２は独立して、分枝および非分枝の、飽和または不飽和の、１個〜１０個の炭素原子を有するアルキル基から選択される、光学光沢剤。
（項目１００）
項目９９に記載の光学光沢剤を含有するパーソナルケア組成物。
（項目１０１）
パーソナルケア組成物であって、該パーソナルケア組成物は、
式（ＸＩＩ）：
【化４６】
2013509491.tif 000032
により表わされる光学光沢剤であって、式（ＸＩＩ）において、Ｒ１およびＲ２は独立して、分枝および非分枝の、飽和または不飽和の、１個〜１０個の炭素原子を有するアルキル基から選択される、光学光沢剤；ならびに
ポリマーＡ、ポリマーＢ、ポリマーＣ、ポリマーＤ、ポリマーＥ、およびポリマーＦから選択されるＵＶ吸収複合ポリエステルポリマーのうちの少なくとも１つ
を含有し、
該ポリマーＡは、
（ｉ）ポリオールと二無水物とのエステル化であって、該エステル化は、実質的に無水物開環のみを容易にする条件下で行われて、少なくとも２つのペンダントカルボン酸基および少なくとも２つのヒドロキシル基を含むポリエステルポリマーを形成する、エステル化；ならびに
（ｉｉ）該ポリエステルポリマーの少なくとも１つのペンダントカルボン酸基および少なくとも１つの末端ヒドロキシル基と、官能基を有するエポキシドとの反応であって、該エポキシドは、ＵＶ吸収部分を含む、反応、
を包含する反応スキームの生成物であり；
該ポリマーＢは、式（ＩＸ）：
【化４７】
2013509491.tif 000033
により表わされるような、ペンダントカルボン酸および末端ヒドロキシル基を含むポリエステルポリマーを与える、ジオールと、ベンゾフェノン部分を含むＵＶ吸収二無水物とのエステル化、ならびに該ポリエステルポリマーの該ヒドロキシル基および／またはカルボン酸基での、エポキシドの官能基の引き続くエーテル化の反応生成物であり、式（ＩＸ）において、Ｒ９は独立して、２個〜５４個の炭素原子および０個〜３０個のエーテル結合を有する炭化水素基から選択され、Ｒ１０は独立して、−Ｈまたは−ＯＨであり、そしてｎは、１〜１０００の整数であり；
該ポリマーＣは、式（Ｘ）：
【化４８】
2013509491.tif 000034
により表わされる、少なくとも２つのペンダントカルボン酸基および２つの末端ヒドロキシル基を含むポリエステルポリマーを与える、ジオールとＵＶ吸収性ではない二無水物とのエステル化、ならびに該ポリエステルポリマーの該ヒドロキシル基および／または該カルボン酸基のうちの少なくとも１つでの、エポキシドの官能基のエーテル化の反応生成物であり、式（Ｘ）において、Ｒ９は独立して、２個〜５４個の炭素原子および０個〜３０個のエーテル結合を有する炭化水素基から選択され、そしてｎは、１〜１０００の整数であり；
該ポリマーＤは、式（ＸＩ）：
【化４９】
2013509491.tif 000035
により表される線状ＵＶ吸収複合ポリオールポリエステルポリマーであり、式（ＸＩ）において、Ｒ３は独立して、ＵＶ吸収部分から選択され；Ｒ４およびＲ５は、各々独立して、炭化水素基から選択され、そしてｎは、１〜１０００の整数であり；
該ポリマーＥは、ＵＶ吸収部分を含む単官能性カルボン酸および／またはエステルと、ジオール、ポリオール、二酸および／またはエステルのうちの少なくとも１つとのランダム共重合エステル化エステル化反応の反応生成物および／またはエステル化生成物である、架橋ＵＶ吸収複合ポリオールポリエステルポリマーであり、該ポリマーは、２．０より大きいＵＶ吸収機能を有し；そして
該ポリマーＦは、（ＸＩＩＩ）：
【化５０】
2013509491.tif 000036
により表わされる構造を有するＵＶ吸収部分を含む単官能性剤と、式（ＸＩＶ）〜（ＸＶ）：
【化５１】
2013509491.tif 000037
により表わされる構造を有するものを含むさらなる試薬との反応生成物である架橋ＵＶ吸収複合ポリオールポリエステルポリマーである、パーソナルケア組成物。
【手続補正３】
【補正対象書類名】明細書
【補正対象項目名】００４２
【補正方法】変更
【補正の内容】
【００４２】
【化７】
2013509491.tif 000038
により与えられる。式（Ｉ）において、Ｒ６は独立して、水素原子またはハロゲン原子であり、Ｒ４は、置換または非置換の炭化水素基であり、そしてＡは、カルボン酸、エステル、および／またはエポキシドからなる群より選択される官能基である。好ましくは、３−（２Ｈ−ベンゾトリアゾール−２−イル）−５−（１，１−ジメチルエチル）−４−ヒドロキシベンゼンプロパン酸アルキルエステル；３−（２Ｈ−ベンゾトリアゾール−２−イル）−５−（１，１−ジメチルエチル）−４−ヒドロキシベンゼンプロパン酸；３−（５−クロロ−２Ｈ−ベンゾトリアゾール−２−イル）−５−（１，１−ジメチルエチル）−４−ヒドロキシベンゼンプロパン酸アルキルエステル；および３−（５−クロロ−２Ｈ−ベンゾトリアゾール−２−イル）−５−（１，１−ジメチルエチル）−４−ヒドロキシベンゼンプロパン酸、ならびに／またはこれらの誘導体のものである。Ａ基が存在しない場合（例えば、反応した、または反応する予定である）、この構造は、本明細書中で記載されるような式（Ｉａ）と称される。